(57)【要約】【課題】薬液内の気泡を効果的に除去することができる容器兼用注射器を提供する。【解決手段】フロントストッパー１０の外周面１１に、該フロントストッパー１０の後端面１０ｂに開口して先端側に向かって延びる単一の薬液導入溝１２を形成し、筒先２０における嵌着孔２４の前方側に、フロントストッパー１０のチャンバー移入部分（先端側部分）が移入して嵌り込むバイパスチャンバー２５を設け、該バイパスチャンバー２５の内壁面に、バイパスチャンバー２５に移入したフロントストッパー１０の薬液導入溝１２が接続されるとともに導入孔２３ａに連絡するバイパス溝２６を設ける。【選択図】図２
2011172849.tif 000002
【特許請求の範囲】
【請求項１】
軸線に沿って延びる外筒と、基端側の嵌着孔を介して前記外筒の先端外周に外嵌されるとともに、注射針に薬液を導入する導入孔が形成されたルアー先を有する筒先と、前記外筒内の先端側に液密に嵌入されるフロントストッパーとを備えた容器兼用注射器において、
前記フロントストッパーの外周面に、該フロントストッパーの後端面に開口して先端側に向かって延びる単一の薬液導入溝が形成され、
前記筒先における前記嵌着孔の前方側に、前記フロントストッパーの先端側部分が移入して嵌り込むバイパスチャンバーが設けられ、
該バイパスチャンバーの内壁面に、前記バイパスチャンバーに移入した前記フロントストッパーの薬液導入溝が接続されるとともに前記導入孔に連絡するバイパス溝が設けられていることを特徴とする容器兼用注射器。
【請求項２】
前記フロントストッパーが前方側に移動して前記先端側部分が前記バイパスチャンバーに移入した際に、前記薬液導入溝が前記バイパス溝に接続され、
前記フロントストッパーが前記バイパスチャンバーの前端面に当接した際に、前記フロントストッパーの後端側部分が前記外筒に嵌入した状態にあることを特徴とする請求項１に記載の容器兼用注射器。
【請求項３】
前記薬液導入溝の溝面の後端部が、前記フロントストッパーの後端面に滑らかに連続するＲ形状をなしていることを特徴とする請求項１又は２に記載の容器兼用注射器。
【請求項４】
前記薬液導入溝の溝面の先端部が、前記軸線を含む断面において前記フロントストッパーの外周面に対して９０°の角度をなして接続する直線状をなしていることを特徴とする請求項１から３のいずれか一項に記載の容器兼用注射器。
【発明の詳細な説明】
【技術分野】
【０００１】
本発明は、薬液を予め充填・保管しておき、使用時に包装から取り出して即座に使用することが可能な容器兼用注射器に関する。
【背景技術】
【０００２】
容器兼用注射器は、予め薬液が充填されているため、医療機関において煩雑な操作をすることなく包装から取り出して即座に使用できる。このように容器兼用注射器は、利便性に優れ、医師や看護師等の医療業務に携わる者の作業軽減に大いに貢献するため、多くの病医院で採用されている。
【０００３】
従来、この容器兼用注射器としては、外筒と、該外筒内の前後端側にそれぞれ嵌入され、外筒内に充填された薬液を液密に封止するフロントストッパー及びエンドストッパーと、外筒の先端に外嵌され、フロントストッパーが入り込むバイパスチャンバー及びその先端の注射針を取り付けるためのルアー先が設けられた筒先と、外筒の後端に嵌着されたフィンガーグリップと、外筒の後端部から外筒内に挿入されてエンドストッパーに連結されたプランジャロッドとを備えたものが知られている（例えば、特許文献１参照）。
【０００４】
このような容器兼用注射器を使用するには、プランジャロッドによってエンドストッパーを押し込むことで、薬液とともにフロントストッパーを前方へ押し進める。そして、フロントストッパーが外筒から押し出されて筒先のバイパスチャンバー内に入り込むと、エンドストッパー間に密封されていた薬液における先端側の密封が解除される。これにより、当該薬液が外筒内からバイパスチャンバー内に流出し、該バイパスチャンバーの内壁面に設けられたバイパス溝に沿ってルアー先の内面に誘導されて注射針へと導入される。
【先行技術文献】
【特許文献】
【０００５】
【特許文献１】特開２００７−１１１１５６号公報
【発明の概要】
【発明が解決しようとする課題】
【０００６】
ところで、一般的に、薬液を注射器によって直接体内の必要な部位に薬液を注入する医療行為である注射においては、薬液中に混入した気泡が患者の体内に注入されるのを防止するため、注射の前段階としてプランジャロッドを押し込むことによるエアー抜きの作業が行われる。この作業によって、上記容器兼用注射器においては、外筒内の気泡がバイパス溝を通過して注射針の先端から薬液とともに注射器外部に放出される。
【０００７】
しかしながら、薬液の種類によっては非常に高価なものもあり、エアー抜きの作業により薬液が外部に放出されることは経済的な観点から好ましくない。また、患者に投与する量が厳密に定められている薬液の場合には、上記のようなエアー抜きにより患者に投与されることのない薬液が生じると、規定量を患者に投与することができなくなり、医療行為上も好ましくない。
【０００８】
それにも関わらず、従来の容器兼用注射器においては、薬液内に残留する気泡を可能な限り除去すべくエアー抜きの過程においてプランジャロッドを大きく押し込む必要があり、無駄になる薬液の量が多いものとなっていた。
【０００９】
この発明はこのような課題に鑑みてなされたものであって、薬液内の気泡を効果的に除去することができる容器兼用注射器を提供することを目的とする。
【課題を解決するための手段】
【００１０】
前記課題を解決するため、この発明は以下の手段を提案している。
即ち、本発明に係る容器兼用注射器は、軸線に沿って延びる外筒と、基端側の嵌着孔を介して前記外筒の先端外周に外嵌されるとともに、注射針に薬液を導入する導入孔が形成されたルアー先を有する筒先と、前記外筒内の先端側に液密に嵌入されるフロントストッパーとを備えた容器兼用注射器において、前記フロントストッパーの外周面に、該フロントストッパーの後端面に開口して先端側に向かって延びる単一の薬液導入溝が形成され、前記筒先における前記嵌着孔の前方側に、前記フロントストッパーの先端側部分が移入して嵌り込むバイパスチャンバーが設けられ、該バイパスチャンバーの内壁面に、前記バイパスチャンバーに移入した前記フロントストッパーの薬液導入溝が接続されるとともに前記導入孔に連絡するバイパス溝が設けられていることを特徴とする
【００１１】
このような特徴の容器兼用注射器においてエアー抜きを行なう際には、容器兼用注射器の先端側を上方に向け、かつ、薬液導入溝を上方に向けた状態で該容器兼用注射器を保持する。これにより、薬液内の気泡は、フロントストッパーにおける単一の薬液導入溝付近に集中する。そして、この状態でフロントストッパーを前進させて、薬液導入溝の先端部がバイパス溝に接続されると、この単一の薬液導入溝付近に集中されていた気泡が、該単一の薬液導入溝、バイパス溝及び導入孔を介してルアー先の先端から容器兼用注射器外部に放出される。
【００１２】
即ち、薬液導入溝の先端部がバイパス溝に接続された際、薬液の密封状態が解除されるとともに薬液内部の高まった圧力が瞬間的に開放され、これに伴って薬液導入溝付近に集中した気泡が勢い良くバイパス溝内に流入する。これによって、薬液の排出を最低限に抑えながら薬液内の気泡を効率良く除去することができる。
【００１３】
また、本発明に係る容器兼用注射器においては、前記フロントストッパーが前方側に移動して前記先端側部分が前記バイパスチャンバーに移入した際に、前記薬液導入溝が前記バイパス溝に接続され、前記フロントストッパーが前記バイパスチャンバーの前端面に当接した際に、前記フロントストッパーの後端側部分が前記外筒に嵌入した状態にあることが好ましい。
【００１４】
ここで、上記のようにエアー抜きの作業を施したとしても、薬液の表面張力の影響によりフロントストッパーの後端面に僅かながら気泡が残存してしまう場合がある。この点、本発明の容器兼用注射器では、フロントストッパーが前方へ移動すると薬液導入溝がバイパス溝に接続されて薬液の封止が解除される一方で、該フロントストッパーがバイパスチャンバーの最前端に当接する最前方まで移動した際であっても、その後端側部分は外筒に嵌入した状態にある。これにより、外筒内の薬液は必ず薬液導入溝を通過して前方側へ移動することになる。
【００１５】
よって、薬液が狭い溝状の単一の薬液導入溝を流通することでその流速が上昇し、この流速に促されるようにして薬液内の気泡が先端側へと送られていくことになるため、フロントストッパーの後端面に残存した気泡は、薬液の表面張力を振り切って薬液導入溝内に導入される。これによって、エアー抜きの作業で除去し切れなかった気泡を確実に排出することが可能となる。
【００１６】
また、本発明に係る容器兼用注射器においては、前記薬液導入溝の溝面の後端部が、前記フロントストッパーの後端面に滑らかに連続するＲ形状をなしていることが好ましい。
【００１７】
これによって、薬液導入溝内に気泡を円滑に導入することができるため、当該気泡をより効率良く除去することができる。また、気泡のみならず薬液も流入し易くなることから、当該薬液導入溝内への薬液の流入速度が増加するため、この薬液の流入に追従させるようにしてフロントストッパーの後端面に残存した気泡を薬液導入溝内に容易に導入することができる。これによって、エアー抜きの作業によって除去しきれずに残存した気泡を容易に排出することができる。
【００１８】
さらに、本発明に係る容器兼用注射器においては、前記薬液導入溝の溝面の先端部が、前記軸線を含む断面において前記フロントストッパーの外周面に対して９０°の角度をなして接続する直線状をなしていることが好ましい。
【００１９】
これにより、薬液導入溝内において略軸線と平行に流通してきた薬液が、当該薬液導入溝の先端部付近にて外筒の径方向外側へと向きが強制的に変化させられるため、当該薬液が流通する際の抵抗が一時的に大きくなり、薬液内の圧力が上昇する。したがって、小さな力でもってフロントストッパーを前進させた場合であっても、当該高い圧力でもって薬液の流通速度を向上させることができるため、より円滑に薬液内の気泡を除去することが可能となる。
【発明の効果】
【００２０】
本発明の容器兼用注射器によれば、薬液内の気泡を一の薬液導入溝付近に集中させて当該一の薬液導入溝のみを外部に連通させることにより、薬液内の気泡を効果的に除去することが可能となる。
【図面の簡単な説明】
【００２１】
【図１】実施形態に係る容器兼用注射器の縦断面図である。
【図２】図１の部分拡大図である。
【図３】フロントストッパーの縦断面図である。
【図４】図３の要部拡大図である。
【図５】フロントストッパーを後端側から見た図である。
【図６】フロントストッパーの側面図である。
【図７】薬液導入溝がバイパス溝に接続された状態を示す縦断面図である。
【図８】フロントストッパーが最前端まで移動した状態を示す縦断面図である。
【発明を実施するための形態】
【００２２】
以下、本発明の実施の形態に係る容器兼用注射器について、図面を参照して詳細に説明する。図１は実施形態に係る容器兼用注射器の縦断面図、図２は図１の部分拡大図である。
【００２３】
図１に示すように、容器兼用注射器３０は、外筒１と、その先端側（図１における左側、以下同じ）に取り付けられた筒先２０と、外筒１の後端側（図１における右側、以下同じ）の外周に嵌着された合成樹脂製のフィンガーグリップ４と、外筒１内に充填された薬液ｍを先端側から封止するフロントストッパー１０及び後端側から封止するエンドストッパー５と、外筒１内に後端側から挿入されて先端部がエンドストッパー５に連結され、該エンドストッパー５を外筒１の軸線Ｏ方向に往復動させるプランジャロッド６とを備えている。
【００２４】
外筒１は、透明なガラスからなる軸線Ｏに沿って延びる円筒形状をなしており、その内部には薬液ｍが充填され、その先端側がフロントストッパー１０によって封止されるとともに、後端側がエンドストッパー５によって封止されている。
【００２５】
外筒１の後端外周には、リング状突起１ａが設けられている。このリング状突起１ａは、フィンガーグリップ４の円筒孔部４ａに形成されたリング状溝４ｂに嵌合可能とされ、これによってフィンガーグリップ４が外筒１に強固に取り付けられる。
なお、フィンガーグリップ４は、外筒１に別途取り付けられる構成の他、外筒１と一体に形成されたもの、即ち、外筒１とフィンガーグリップ４とがともに透明なガラスからなる一体物として構成されていてもよい。
【００２６】
エンドストッパー５は、外筒１の内径より僅かに大きな外径の軸線Ｏを中心とした略円柱形状をなし、薬液ｍに対して耐食性を備える医療用ゴムから形成されている。容器兼用注射器３０の未使用時においては、このエンドストッパー５は、外筒１内の後端側に位置するように該外筒１内に液密に嵌入されている。
【００２７】
筒先２０は、図１及び図２に示すように、適度な剛性を備えた透明な合成樹脂からなる外形多段円柱状をなしており、円筒形状をなす基端部２１と、該基端部２１の先端側に一段縮径するように結合された円筒部２２と、該円筒部２２のさらに先端側に円筒部２２よりも小径に形成されたルアー先２３とを備えている。
【００２８】
上記基端部２１の内側には、筒先２０の後端側に開口する嵌着孔２４が形成されており、該嵌着孔２４の前方側、即ち、円筒部２２の内側には、有底穴状のバイパスチャンバー２５が形成されている。なお、このバイパスチャンバー２５の底部に当たる箇所が、後述するフロントストッパー１０が当接する前端面２５ａとされ、この前端面２５ａは、詳しくは図２に示すように、前方側に向かうに従って漸次縮径する円錐面状に形成されている。
【００２９】
また、上記ルアー先２３の内部には、軸線Ｏに沿って貫通された導入孔２３ａが形成されており、この導入孔２３ａは、一端側がルアー先２３の先端に開口するとともに他端側がバイパスチャンバー２５における前端面２５ａ中央に開口している。この導入孔２３ａの一端側、即ち、先端側には、軸線Ｏに沿って先端側に延びる注射針８が連通状態にして取り付けられている。
なお、容器兼用注射器３０の未使用時においては、注射針８を覆うカバー（図示省略）が筒先２０の先端に取り付けられている。
【００３０】
上記嵌着孔２４は、外筒１に筒先２０を取り付けるために形成された孔であって、その内径は外筒１の外径と略同一に形成されている。この嵌着孔２４を外筒１先端に外嵌させることによって、筒先２０が外筒１の先端側に取り付けられるようになっている。
【００３１】
また、詳しくは図２に示すように、嵌着孔２４の内周壁の前端部には軸線Ｏを中心としたリング状溝２４ａが形成されている。一方、外筒１先端外周にはリング状突起１ｂが形成されており、筒先２０を外筒１先端側に取り付けた際に、このリング状突起１ｂがリング状溝２４ａに嵌り込むことによって、筒先２０が外筒１に強固に固定一体化される。
【００３２】
上記バイパスチャンバー２５は、その内径が嵌着孔２４よりも一段小径とされた有底穴であって、その内周壁にはバイパス溝２６が形成されている。このバイパス溝２６は直線溝２６ａと環状溝２６ｂとから構成されている。
【００３３】
直線溝２６ａは、バイパスチャンバー２５の内壁面において軸線Ｏと平行に延びるように周方向に等間隔を空けて複数が形成されており、これら直線溝２６ａの先端側は、バイパスチャンバー２５の内壁面から前端面２５ａに延びてルアー先２３の内部に形成された導入孔２３ａにそれぞれ接続されている。
【００３４】
また、環状溝２６ｂは、軸線Ｏを中心として周方向に延在する円環状の溝であって、バイパスチャンバー２５の内壁面における該バイパスチャンバー２５と嵌着孔２４との境界付近に形成されている。この環状溝２６ｂは、上記複数のバイパス溝２６それぞれの後端に接続されており、これにより各バイパス溝２６はバイパス溝２６を介して接続されている。
【００３５】
フロントストッパー１０は、詳しくは図２〜図６に示すように、外筒１よりも僅かに大きな外径の軸線Ｏを中心とした略円柱形状をなし、薬液ｍに対して耐食性を備える医療用ゴムから形成されている。容器兼用注射器３０の未使用時においてフロントストッパー１０は、外筒１の先端側に位置するように該外筒１の内側に嵌入されている。
【００３６】
また、図３及び図６に示すように、フロントストッパー１０における先端側を臨む先端面１０ａは、先端側に向かうに従って漸次縮径する円錐面とされており、当該円錐面の傾斜率はバイパスチャンバー２５における前端面２５ａの傾斜率と同一とされている。これによりフロントストッパー１０の先端面１０ａとバイパスチャンバー２５の前端面２５ａとは隙間無く当接可能とされている。また、フロントストッパー１０の後端面１０ｂは、軸線Ｏに直交する略平坦面とされており、該後端面１０ｂには、突起１０ｃが適宜設けられている。
【００３７】
さらに、フロントストッパー１０は、詳しくは図３及び図６に示すように、その先端側の部分がバイパスチャンバー２５内に移入可能とされたチャンバー移入部分（先端側部分）１０Ａとされており、後端側の部分は、チャンバー移入部分１０Ａがバイパスチャンバー２５内に移入した際であっても外筒１内に嵌入状態とされた外筒嵌入部分（後端側部分）１０Ｂとされている。
【００３８】
本実施形態においては、図３及び図６において軸線Ｏに直交する直線ｋよりも先端側（図３における左側）の部分がチャンバー移入部分１０Ａとされており、該直線ｋよりも後端側（図３における右側）の部分が外筒嵌入部分１０Ｂとされている。なお、この直線ｋの軸線Ｏ方向の位置は適宜設定することが可能であり、即ち、フロントストッパー１０における先端側のいかなる範囲をチャンバー移入部分１０Ａとしその後端側を外筒嵌入部分１０Ｂとするかは適宜設定することができる。
【００３９】
また、フロントストッパー１０の外周面１１には、その後端面１０ｂに開口するとともに該フロントストッパー１０の先端側に向かって延びる単一の薬液導入溝１２が形成されている。本実施形態における薬液導入溝１２は、その先端部がフロントストッパー１０の後端面１０ｂから先端側に向かって直線ｋを越えた位置、即ち、外筒嵌入部分１０Ｂからチャンバー移入部分１０Ａに僅かに入り込んだ位置まで延びている。
【００４０】
なお、図５に示すように、単一の薬液導入溝１２の溝幅Ｗ、即ち、フロントストッパー１０の後端面１０ｂにおける薬液導入溝１２の外周面１１への開口幅Ｗは、０．５ｍｍ≦Ｗ≦２．０ｍｍの範囲の寸法に設定されていることが好ましい。溝幅Ｗの寸法が０．５ｍｍを下回る場合、薬液ｍが流通しにくくなるため好ましくなく、また、溝幅Ｗの寸法が２．０ｍｍを超える場合、溝Ｗが広過ぎることから薬液ｍの流速が低下するため、後述する気泡除去効果を得にくくなるため好ましくない。
【００４１】
そして、この薬液導入溝１２は、図４に示すように、その溝面１３における後端部１３ａがフロントストッパー１０の後端面１０ｂに滑らかに連続するＲ形状をなしている。この薬液導入溝１２の後端部１３ａにおけるＲ形状の大きさは、フロントストッパー１０の半径をＲ０とした場合に、０．１Ｒ０≦Ｒ≦２．０Ｒ０の範囲の寸法に設定されていることが望ましい。半径Ｒの値が０．１Ｒ０を下回る場合、後述するようなＲ形状による薬液導入溝１２内への薬液ｍ導入効果を得にくくなるため好ましくない。また、半径Ｒの値が２．０Ｒ０を超える場合、フロントストッパー１０の後端面１０ｂに対する薬液導入溝１２の開口が大きくなり過ぎるため、薬液ｍの流速の低下を招き好ましくない。
【００４２】
さらに、薬液導入溝１２は、図４に示すように、その溝面１３における先端部１３ｂが軸線Ｏを含む断面においてフロントストッパー１０の外周面１１に対して９０°の角度θをなして接続する直線状をなしている。これによって、後述するように薬液ｍ内の圧力の上昇効果を得ることができる。なお、この薬液導入溝１２の先端部１３ｂに、フロントストッパー１０の外周面１１に滑らかに接続されるＲ形状が形成されていてもよい。この場合、Ｒ形状の大きさは容器兼用注射器の半径Ｒ０とした際に０．２Ｒ０以下の寸法にされていることが好ましい。これにより圧力上昇効果を確実に得ながら、円滑に薬液ｍを流通させることができる。
【００４３】
以上のような構成の容器兼用注射器３０を用いて患者に注射を行う際には、薬液ｍ内に残留した気泡を除去するエアー抜きの作業を行う。このエアー抜きの際には、まず容器兼用注射器３０の先端側を上方に向け、かつ、薬液導入溝１２を上方に向けた状態で該容器兼用注射器３０を保持する。これにより、薬液ｍ内の気泡は、フロントストッパー１０の後端面１０ｂにおける薬液導入溝１２付近に集中する。
【００４４】
そして、この状態でプランジャロッド６を押し込むと、該プランジャロッド６に連結されたエンドストッパー５が外筒１内を前方側に移動し、このエンドストッパー５による押圧力が薬液ｍを介してフロントストッパー１０に伝達され、該フロントストッパー１０が前進する。
【００４５】
そして、図７に示すように、フロントストッパー１０の先端側部分１０Ａがバイパスチャンバー２５に移入して薬液導入溝１２の先端がバイパス溝２６に接続されると、薬液ｍにおける外筒１先端側の密封が解除される。この際、プランジャロッド６の押し込みにより高まった外筒１内部の圧力が瞬間的に開放され、これに伴って薬液導入溝１２付近に集中した気泡が勢い良くバイパス溝２６内に流入し、バイパス溝２６及び導入孔２３ａを介してルアー先２３の先端から容器兼用注射器３０外部に放出される。これにより、エアー抜きによって外部に放出される薬液ｍを最小限に抑えて、効果的に薬液ｍ内の気泡を除去することが可能となる。
【００４６】
また、例えば、上記薬液導入溝１２がフロントストッパー１０の外周面１１の周方向に間隔を空けて複数設けられている場合、一の薬液導入溝１２に気泡を集中させてエアー抜きの作業を行うと同時に他の複数の薬液導入溝１２から薬液ｍが放出されてしまうため、無駄になる薬液ｍが多くなってしまうという欠点がある。この点、本実施形態の容器兼用注射器３０では、薬液導入溝１２が一のみ設けられているため、上記欠点を解消して、無駄になる薬液ｍの量を最小限に抑えながら気泡を除去することができる。
【００４７】
そして、エアー抜きの作業を終えた後に、患者の患部に注射針８を刺してプランジャロッド６をさらに押し込んでフロントストッパーをさらに前進させると、図８に示すように、フロントストッパー１０はそのチャンバー移入部分１０Ａが完全にバイパスチャンバー２５内に移入して、フロントストッパー１０の先端面１０ａとバイパスチャンバー２５の前端面２５ａとが液密に当接する。これにより、薬液導入溝１２とバイパス溝２６とが完全に連通された状態となり、外筒１内の薬液ｍが、薬液導入溝１２、バイパス溝２６、導入孔２３ａ、注射針８を通過して患者の体内に投与されることになる。
【００４８】
ここで、上記のようにエアー抜きの作業を施したとしても、薬液ｍの表面張力の影響により、フロントストッパー１０の後端面１０ｂに僅かながら気泡が残存してしまう場合がある。
これに対して、本実施形態においては、フロントストッパー１０が前方へ移動すると薬液導入溝１２がバイパス溝２６に接続されて薬液ｍの封止が解除される一方で、該フロントストッパー１０が最前方まで移動した際であっても、その後端側の外筒嵌入部分１０Ｂは外筒１内に嵌入した状態にある。これにより、外筒１内の薬液ｍは必ず薬液導入溝１２を通過して前方側へ移動することになる。そして、薬液ｍはこの狭い溝状の単一の薬液導入溝１２を流通することでその流速が上昇するため、この流れに促されるようにして薬液ｍ内の気泡が先端側へと送ることができる。これにより、フロントストッパー１０の後端面に集中した外筒１内の気泡は、薬液ｍの表面張力の振り切って薬液導入溝１２内に導入される。したがって、エアー抜きの作業で除去し切れなかった気泡を確実に排出することが可能となる。
【００４９】
また、本実施形態においては、上述したように薬液導入溝１２の後端部がＲ形状をなしているため、エアー抜きの過程において薬液導入溝１２付近に集中した気泡を当該薬液導入溝１２内に円滑に導入することができる。これにより、より効率良く気泡を外部へと排出することが可能となる。また、気泡のみならず薬液ｍも薬液導入溝１２内に流入し易くなることから、当該薬液導入溝１２内への薬液ｍの流入速度が増加するため、この薬液ｍの流入に追従させるようにしてフロントストッパー１０の後端面に残存した気泡を薬液導入溝１２内に導入することができる。これによって、エアー抜きの作業によって除去し切れずに残存した気泡も容易に排出することが可能となる。
【００５０】
さらに、本実施形態においては、薬液導入溝１２の溝面１３の先端部１３ａが、軸線Ｏを含む断面においてフロントストッパー１０の外周面１１に対して９０°の角度θをなして接続する直線状をなしているため、薬液導入溝１２内において軸線Ｏと略平行に流通してきた薬液ｍが、当該薬液導入溝１２の先端部付近にて外筒１の径方向外側へと向きが強制的に変化させられる。これにより、薬液ｍが流通する際の抵抗が一時的に大きくなるため、薬液ｍ内の圧力が上昇し、この高い圧力でもって薬液ｍの流通速度を向上させることができる。したがって、より円滑に薬液ｍ内の気泡を除去することが可能となる。
【００５１】
以上、本発明の実施の形態である容器兼用注射器３０について説明したが、詳細に説明したが、本発明の技術的思想を逸脱しない限り、これらに限定されることはなく、多少の設計変更等も可能である。
【符号の説明】
【００５２】
１    外筒
１ａ  リング状突起
１ｂ  リング状突起
４    フィンガーグリップ
５    エンドストッパー
６    プランジャロッド
８    注射針
１０  フロントストッパー
１０Ａ       チャンバー移入部分（先端側部分）
１０Ｂ       外筒嵌入部分（後端側部分）
１０ａ       先端面
１０ｂ       後端面
１０ｃ       突起
１１  外周面
１２  薬液導入溝
１３  溝面
１３ａ       後端部
１３ｂ       先端部
２０  筒先
２１  基端部
２２  円筒部
２３  ルアー先
２３ａ       導入孔
２４  嵌着孔
２５  バイパスチャンバー
２５ａ       前端面
２６  バイパス溝
２６ａ       直線溝
２６ｂ       環状溝
３０  容器兼用注射器
ｍ    薬液
【図１】
2011172849.tif 000003
【図２】
2011172849.tif 000004
【図３】
2011172849.tif 000005
【図４】
2011172849.tif 000006
【図５】
2011172849.tif 000007
【図６】
2011172849.tif 000008
【図７】
2011172849.tif 000009
【図８】
2011172849.tif 000010